(57)【要約】【課題】新規な一覧性に優れた情報処理装置を提供する。また、新規な可搬性に優れた情報処理装置を提供する。また、新規な一覧性に優れた情報処理システムを提供する。また、新規な可搬性に優れた情報処理システムを提供する。【解決手段】表示命令を供給される通信部、標識を測位して測位情報を生成し供給する測位部および表示部を備える入出力装置と、表示命令および測位情報に基づいて画像情報を生成する演算装置と、を有する構成に想到した。【選択図】図１
2015035209.tif 000002
【特許請求の範囲】
【請求項１】
画像情報が供給され、表示命令および測位情報を供給する入出力装置と、
前記表示命令および前記測位情報が供給され、前記表示命令および前記測位情報に基づいて前記画像情報を生成し且つ供給する演算装置と、を有し、
前記入出力装置は、前記表示命令を供給される通信部、標識を測位して前記測位情報を生成する測位部および前記画像情報を表示する表示部を備え、
前記演算装置は、演算部および前記演算部に実行させるプログラムを記憶する記憶部を備え、
前記プログラムは、前記画像情報を前記表示命令および前記測位情報に基づいて生成させる、情報処理装置。
【請求項２】
前記プログラムが、
初期化をする第１のステップと、
供給された測位情報に基づいて第１の補正パラメータを決定する第２のステップと、
前記第１の補正パラメータに基づいて前記画像情報を生成する第３のステップと、
割り込み処理を許可する第４のステップと、
前記画像情報を表示する第５のステップと、
前記割り込み処理で終了命令が供給された場合は第７のステップに進み、終了命令が供給されない場合は第５のステップに戻る第６のステップと、
終了する第７のステップと、を備え、
前記割り込み処理は、
前記表示命令が供給された場合は第９のステップに進み、前記表示命令が供給されない場合は第１０のステップに進む第８のステップと、
前記表示命令に基づいて前記画像情報を生成する第９のステップと、
前記測位情報から第２の補正パラメータを決定する第１０のステップと、
前記第２の補正パラメータが前記第１の補正パラメータから変化した場合は第１２のステップへ進み、変化していない場合は第１３のステップへ進む第１１のステップと、
前記第２の補正パラメータに基づいて画像情報を生成する第１２のステップと、
割り込み処理から復帰する第１３のステップと、を備える、請求項１記載の情報処理装置。
【請求項３】
前記測位部は、前記表示部に沿って配置されセンサ信号を供給するセンサおよび前記センサ信号を処理するセンサ信号処理回路を備える、請求項１記載の情報処理装置。
【請求項４】
前記測位部は、前記表示部に沿って配置された撮像素子および画像処理回路を備え、
前記画像処理回路は、初期化する第１のステップと、
標識像を、前記撮像素子を用いて取得する第２のステップと、
前記標識像を二値化して、二値画像を生成する第３のステップと、
前記二値画像が、所定のパターンを含む場合は第５のステップに進み、含まない場合は第６のステップに進む、第４のステップと、
前記標識の測位情報を、前記二値画像における前記所定のパターンの座標から特定して生成する第５のステップと、
第１のステップに進む第６のステップと、を実行する、請求項１記載の情報処理装置。
【請求項５】
標識と、
前記標識を測位し、表示命令および第１の測位情報を供給する第１の情報処理装置と、
前記標識を測位し、前記表示命令および前記第１の測位情報を供給される第２の情報処理装置と、を有し、
前記第１の情報処理装置は、
前記表示命令および第１の測位情報を供給する第１の入出力装置を有し、
前記第１の入出力装置は、前記標識を測位して前記第１の測位情報を生成し供給する第１の測位部、表示命令を供給することができる第１の入力手段および前記表示命令並びに前記第１の測位情報を供給することができる第１の通信部を備え、
前記第２の情報処理装置は、
画像情報が供給され、前記表示命令並びに前記第１の測位情報および第２の測位情報を供給する第２の入出力装置と、前記第１の測位情報および前記第２の測位情報が供給され、前記表示命令、前記第１の測位情報および前記第２の測位情報に基づいて前記画像情報を生成し且つ供給する演算装置と、を備え、
前記第２の入出力装置は、
前記表示命令および前記第１の測位情報を供給される第２の通信部、前記標識を測位して前記第２の測位情報を生成し供給する第２の測位部および前記画像情報を供給され表示する表示部を具備し、
演算装置は、演算部および演算部に実行させるプログラムを記憶する記憶部を具備し、
前記プログラムは、前記画像情報を前記表示命令、前記第１の測位情報および前記第２の測位情報に基づいて生成させる、情報処理システム。
【請求項６】
前記プログラムが、
初期化をする第１のステップと、
前記第１の測位情報および前記第２の測位情報に基づいて第１の補正パラメータを決定する第２のステップと、
前記第１の補正パラメータに基づいて前記画像情報を生成する第３のステップと、
割り込み処理を許可する第４のステップと、
前記画像情報を表示する第５のステップと、
前記割り込み処理で終了命令が供給された場合は第７のステップに進み、終了命令が供給されない場合は第５のステップに戻る第６のステップと、
終了する第７のステップと、を備え、
前記割り込み処理は、
前記表示命令が供給された場合は第９のステップに進み、前記表示命令が供給されない場合は第１０のステップに進む第８のステップと、
前記表示命令に基づいて前記画像情報を生成する第９のステップと、
前記第１の測位情報および前記第２の測位情報から第２の補正パラメータを決定する第１０のステップと、
前記第２の補正パラメータが前記第１の補正パラメータから変化した場合は第１２のステップへ進み、変化していない場合は第１３のステップへ進む第１１のステップと、
前記第２の補正パラメータに基づいて画像情報を生成する第１２のステップと、
割り込み処理から復帰する第１３のステップと、を備える、請求項５記載の情報処理システム。
【請求項７】
前記第１の情報処理装置が前記標識を有する、請求項５記載の情報処理システム。
【発明の詳細な説明】
【技術分野】
【０００１】
本発明は、物、方法、または、製造方法に関する。または、本発明は、プロセス、マシン、マニュファクチャ、または、組成物（コンポジション・オブ・マター）に関する。特に、本発明は、例えば、ヒューマンインターフェイス、半導体装置、表示装置、発光装置、蓄電装置、システム、それらの駆動方法、または、それらの製造方法に関する。特に、本発明は、例えば、画像情報の処理および表示方法、プログラムおよびプログラムが記録された記録媒体を有する装置に関する。特に、本発明は、例えば、表示部を備える情報処理装置に処理された情報を含む画像を表示する画像情報の処理、表示方法および表示部を備える情報処理装置に処理された情報を含む画像を表示させるプログラム並びに当該プログラムが記録された記録媒体を有する情報処理装置、および情報処理システムに関する。
【背景技術】
【０００２】
情報伝達手段に係る社会基盤が充実されている。これにより、多様で潤沢な情報を職場や自宅だけでなく外出先でも情報処理装置を用いて取得、加工または発信できるようになっている。
【０００３】
このような背景において、携帯可能な情報処理装置が盛んに開発されている。
【０００４】
例えば、携帯可能な情報処理装置は屋外で使用されることが多く、落下により思わぬ力が情報処理装置およびそれに用いられる表示装置に加わることがある。破壊されにくい表示装置の一例として、発光層を分離する構造体と第２の電極層との密着性が高められた構成が知られている（特許文献１）。
【先行技術文献】
【特許文献】
【０００５】
【特許文献１】特開２０１２−１９０７９４号公報
【発明の概要】
【発明が解決しようとする課題】
【０００６】
本発明の一態様は、一覧性に優れた情報処理装置を提供することを課題の一とする。または、可搬性に優れた情報処理装置を提供することを課題の一とする。
【０００７】
または、一覧性に優れた情報処理システムを提供することを課題の一とする。または、可搬性に優れた情報処理システムを提供することを課題の一とする。
【０００８】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００９】
本発明の一態様は、画像情報が供給され、表示命令および測位情報を供給する入出力装置と、表示命令および測位情報が供給され、表示命令および測位情報に基づいて画像情報を生成し且つ供給する演算装置と、を有する情報処理装置である。そして、入出力装置は、表示命令を供給される通信部、標識を測位して測位情報を生成する測位部および画像情報を表示する表示部を備える。また、演算装置は、演算部および演算部に実行させるプログラムを記憶する記憶部を備える。また、プログラムは、画像情報を表示命令および測位情報に基づいて生成させる。
【００１０】
上記本発明の一態様の情報処理装置は、表示命令を供給される通信部、標識を測位して測位情報を生成し供給する測位部および表示部を備える入出力装置と、表示命令および測位情報に基づいて画像情報を生成する演算装置と、を有する。これにより、表示命令および／または標識との配置に基づいて画像情報を生成し表示することができる。その結果、一覧性に優れた情報処理装置を提供することができる。または、可搬性に優れた情報処理装置を提供することができる。
【００１１】
また、本発明の一態様は、プログラムが、初期化をする第１のステップと、供給された測位情報に基づいて第１の補正パラメータを決定する第２のステップと、第１の補正パラメータに基づいて画像情報を生成する第３のステップと、割り込み処理を許可する第４のステップと、画像情報を表示する第５のステップと、割り込み処理で終了命令が供給された場合は第７のステップに進み、終了命令が供給されない場合は第５のステップに戻る第６のステップと、終了する第７のステップと、を備える、上記の情報処理装置である。そして、割り込み処理は、表示命令が供給された場合は第９のステップに進み、表示命令が供給されない場合は第１０のステップに進む第８のステップと、表示命令に基づいて画像情報を生成する第９のステップと、測位情報から第２の補正パラメータを決定する第１０のステップと、第２の補正パラメータが第１の補正パラメータから変化した場合は第１２のステップへ進み、変化していない場合は第１３のステップへ進む第１１のステップと、第２の補正パラメータに基づいて画像情報を生成する第１２のステップと、割り込み処理から復帰する第１３のステップと、を備える。
【００１２】
上記本発明の一態様の情報処理装置は、表示命令および／または測位情報に基づいて画像情報を生成するステップを備えるプログラムを記憶する記憶部を含んで構成される。これにより、表示命令および／または情報処理装置と標識の配置の変化に基づいて画像情報を生成し、当該画像情報を表示し直すことができる。また、例えば、情報処理装置の使用者は表示部が表示できる範囲より外側に広がる架空の画像の一部を、情報処理装置または標識の配置を変えることにより選択して、表示部に表示することができる。言い換えると、情報処理装置の使用者は表示部に表示する領域を、情報処理装置または標識を移動することにより直観的に選択することができる。その結果、一覧性に優れた情報処理装置を提供することができる。または、可搬性に優れた情報処理装置を提供することができる。
【００１３】
また、本発明の一態様は、測位部が、表示部に沿って配置されセンサ信号を供給するセンサおよびセンサ信号を処理するセンサ信号処理回路を備える、上記の情報処理装置である。
【００１４】
また、本発明の一態様は、測位部が、表示部に沿って配置された撮像素子および画像処理回路を備え、画像処理回路は、初期化する第１のステップと、標識像を、撮像素子を用いて取得する第２のステップと、標識像を二値化して、二値画像を生成する第３のステップと、二値画像が、所定のパターンを含む場合は第５のステップに進み、含まない場合は第６のステップに進む、第４のステップと、標識の測位情報を、二値画像におけるパターンの座標から特定して生成する第５のステップと、第１のステップに進む第６のステップと、を実行する、上記の情報処理装置である。
【００１５】
上記本発明の一態様の情報処理装置は、表示部に沿って配置され且つ標識を検知して信号を供給することができるセンサを備える測位部を含んで構成される。これにより、表示命令および／または表示部と標識の配置の変化に基づいて画像情報を生成し、当該画像情報を表示し直すことができる。また、情報処理装置の使用者は表示部に表示する領域を、情報処理装置または標識を移動することにより直観的に選択することができる。その結果、一覧性に優れた情報処理装置を提供することができる。または、可搬性に優れた情報処理装置を提供することができる。
【００１６】
また、本発明の一態様は、標識と、標識を測位し、表示命令および第１の測位情報を供給する第１の情報処理装置と、標識を測位し、表示命令および第１の測位情報を供給される第２の情報処理装置と、を有する情報処理システムである。そして、第１の情報処理装置は、表示命令および第１の測位情報を供給する第１の入出力装置を有し、第１の入出力装置は、標識を測位して第１の測位情報を生成する第１の測位部、表示命令を供給することができる第１の入力手段および表示命令並びに第１の測位情報を供給することができる第１の通信部を備える。また、第２の情報処理装置は、画像情報が供給され、表示命令並びに第１の測位情報および第２の測位情報を供給する第２の入出力装置と、第１の測位情報および第２の測位情報が供給され、表示命令、第１の測位情報および第２の測位情報に基づいて画像情報を生成し且つ供給する演算装置と、を備える。また、第２の入出力装置は、表示命令および第１の測位情報を供給される第２の通信部、標識を測位して第２の測位情報を生成する第２の測位部および画像情報を表示する表示部を具備し、演算装置は、演算部および演算部に実行させるプログラムを記憶する記憶部を具備し、プログラムは、画像情報を表示命令、第１の測位情報および第２の測位情報に基づいて生成させる、情報処理システムである。
【００１７】
上記本発明の一態様の情報処理システムは、標識と、第１の情報処理装置および第２の情報処理装置を有する。そして、第１の情報処理装置が、表示命令および標識についての第１の測位情報を供給し、第２の情報処理装置が標識についての第２の測位情報を取得し且つ表示命令および第１の測位情報を供給される。これにより、第２の情報処理装置は、第１の情報処理装置が供給する表示命令および／または第１の情報処理装置との配置に基づいて、画像情報を生成し、表示し直すことができる。その結果、一覧性に優れた情報処理システムを提供することができる。または、可搬性に優れた情報処理システムを提供することができる。
【００１８】
また、本発明の一態様は、プログラムが、初期化をする第１のステップと、第１の測位情報および第２の測位情報に基づいて第１の補正パラメータを決定する第２のステップと、第１の補正パラメータに基づいて画像情報を生成する第３のステップと、割り込み処理を許可する第４のステップと、画像情報を表示する第５のステップと、割り込み処理で終了命令が供給された場合は第７のステップに進み、終了命令が供給されない場合は第５のステップに戻る第６のステップと、終了する第７のステップと、を備える上記の情報処理システムである。そして、割り込み処理は、表示命令が供給された場合は第９のステップに進み、表示命令が供給されない場合は第１０のステップに進む第８のステップと、表示命令に基づいて画像情報を生成する第９のステップと、第１の測位情報および第２の測位情報から第２の補正パラメータを決定する第１０のステップと、第２の補正パラメータが第１の補正パラメータから変化した場合は第１２のステップへ進み、変化していない場合は第１３のステップへ進む第１１のステップと、第２の補正パラメータに基づいて画像情報を生成する第１２のステップと、割り込み処理から復帰する第１３のステップと、を備える。
【００１９】
上記本発明の一態様の情報処理システムは、標識と、第１の情報処理装置と、第２の情報処理装置と、を有する。そして、第２の情報処理装置は、表示命令、第１の測位情報および第２の測位情報に基づいて画像情報を生成するステップを備えるプログラムを記憶する記憶部を含んで構成される。これにより、第２の情報処理装置は、表示命令、第１の測位情報に基づいて、画像情報を生成し、表示し直すことができる。また、情報処理システムの使用者は第２の情報処理装置の表示部に表示する領域を、第１の情報処理装置または第２の情報処理装置を移動することにより直観的に選択することができる。その結果、一覧性に優れた情報処理システムを提供することができる。または、可搬性に優れた情報処理システムを提供することができる。
【００２０】
また、本発明の一態様は、第１の情報処理装置が標識を有する、上記の情報処理システムである。
【００２１】
上記本発明の一態様の情報処理システムは、第１の情報処理装置および第２の情報処理装置を有する。そして、第１の情報処理装置が標識を備え且つ表示命令を供給することができ、第２の情報処理装置が標識を測位し且つ表示命令を供給される。これにより、第２の情報処理装置は、第１の情報処理装置が供給する表示命令および／または第１の情報処理装置との配置に基づいて、画像情報を生成し、表示し直すことができる。その結果、一覧性に優れた情報処理システムを提供することができる。または、可搬性に優れた情報処理システムを提供することができる。
【発明の効果】
【００２２】
本発明の一態様によれば、一覧性に優れた情報処理装置を提供できる。または、可搬性に優れた情報処理装置を提供できる。
【００２３】
または、本発明の一態様によれば、一覧性に優れた情報処理システムを提供できる。または、可搬性に優れた情報処理システムを提供できる。
【図面の簡単な説明】
【００２４】
【図１】実施の形態に係る情報処理装置を説明するブロック図。
【図２】実施の形態に係る情報処理装置が記憶するプログラムを説明するフロー図。
【図３】実施の形態に係る情報処理装置が画像情報を表示する動作を説明する模式図。
【図４】実施の形態に係る情報処理装置が標識を測位する方法を説明する図。
【図５】実施の形態に係る情報処理システムを説明するブロック図。
【図６】実施の形態に係る情報処理装置が記憶するプログラムを説明するフロー図。
【図７】実施の形態に係る標識と情報処理装置を有する情報処理システムを説明する模式図。
【図８】実施の形態に係る標識が一体に設けられた情報処理装置を有する情報処理システムを説明する模式図。
【図９】実施の形態に係る標識が一体に設けられた情報処理装置の構成を説明する図。
【図１０】実施の形態に係る標識が一体に設けられた情報処理装置を有する情報処理システムの動作を説明する模式図。
【図１１】実施の形態に係る標識が一体に設けられた情報処理装置を有する情報処理システムの動作を説明する模式図。
【図１２】実施の形態に係る情報処理装置に適用することができる入出力装置の構成を説明する図。
【図１３】実施の形態に係る情報処理装置に適用することができる入出力装置の構成を説明する図。
【図１４】実施の形態に係る情報処理装置に適用することができる入出力装置の構成を説明する図。
【発明を実施するための形態】
【００２５】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００２６】
（実施の形態１）
本実施の形態では、本発明の一態様の情報処理装置１００の構成について、図１乃至図３を参照しながら説明する。
【００２７】
図１は、本実施の形態で例示する情報処理装置１００の構成を説明するブロック図である。
【００２８】
図２は、本実施の形態で例示する情報処理装置１００が記憶するプログラムが実行させる動作を説明するフロー図である。図２（Ａ）は、主たる処理を説明するフロー図であり、図２（Ｂ）は割り込み処理を説明するためのフロー図である。
【００２９】
図３（Ａ）および図３（Ｂ）は、本実施の形態で例示する情報処理装置１００の動作を説明する模式図である。
【００３０】
本実施の形態で説明する情報処理装置１００は、画像情報ＶＩＤＥＯが供給され、表示命令ＩＭＧおよび測位情報ＰＯＳＩを供給する入出力装置１２０と、表示命令ＩＭＧおよび測位情報ＰＯＳＩが供給され、表示命令ＩＭＧおよび測位情報ＰＯＳＩに基づいて画像情報ＶＩＤＥＯを生成し且つ供給する演算装置１１０と、を有する。
【００３１】
入出力装置１２０は、表示命令ＩＭＧを供給される通信部１２５、標識１２９を測位して測位情報ＰＯＳＩを生成する測位部１２４および画像情報ＶＩＤＥＯを表示する表示部１２２を備える。
【００３２】
演算装置１１０は、演算部１１１および演算部１１１に実行させるプログラムを記憶する記憶部１１２を備える。当該プログラムは、画像情報ＶＩＤＥＯを表示命令ＩＭＧおよび測位情報ＰＯＳＩに基づいて生成させる。
【００３３】
本実施の形態で例示する情報処理装置１００は、表示命令ＩＭＧを供給される通信部１２５、標識１２９を測位して測位情報ＰＯＳＩを生成し供給する測位部１２４および表示部１２２を備える入出力装置１２０と、表示命令ＩＭＧおよび測位情報ＰＯＳＩに基づいて画像情報ＶＩＤＥＯを生成する演算装置１１０と、を有する。これにより、表示命令ＩＭＧおよび／または標識１２９との配置に基づいて画像情報ＶＩＤＥＯを生成し表示することができる。その結果、一覧性に優れた情報処理装置を提供することができる。または、可搬性に優れた情報処理装置を提供することができる。
【００３４】
なお、本実施の形態で例示して説明する演算装置１１０は、入出力インターフェース１１５および伝送路１１４を備える（図１参照）。
【００３５】
入出力インターフェース１１５は、入出力装置１２０から情報が供給され、情報を入出力装置１２０に供給することができる。
【００３６】
伝送路１１４は、情報を演算部１１１、記憶部１１２および入出力インターフェース１１５に供給することができる。また、演算部１１１、記憶部１１２および入出力インターフェース１１５は、情報を伝送路１１４に供給することができる。
【００３７】
入出力装置１２０は、入力手段１２１および検知部１２３等を備える。
【００３８】
入力手段１２１は、操作命令ＩＮＰＵＴ等を供給することができる。なお、操作命令ＩＮＰＵＴは終了命令等を含む。終了命令はプログラムを終了する命令である。
【００３９】
検知部１２３はセンサを備え、センサが検知した情報に応じた検知信号ＳＥＮＳを供給することができる。
【００４０】
標識１２９は測位部１２４に測位され、測位部１２４は標識１２９の位置を知ることができる。
【００４１】
なお、これらの構成は明確に分離できず、一つの構成が他の構成を兼ねる場合や他の構成の一部を含む場合がある。例えば、表示部およびタッチセンサが重ねられたタッチパネルは、表示部１２２であるとともに入力手段１２１でもある。
【００４２】
また、本実施の形態で例示して説明する情報処理装置１００は、以下のステップを含むプログラムを記憶する記憶部１１２を備える（図２および図３参照）。
【００４３】
《プログラム》
第１のステップにおいて、初期化をする（図２（Ａ）（Ｓ１）参照）。
【００４４】
なお、この状態を、標識１２９および標識１２９に基づいて決定されるＸ軸並びにＹ軸と共に、図３（Ａ）に示す。
【００４５】
第２のステップにおいて、測位部１２４から供給された測位情報ＰＯＳＩに基づいて第１の補正パラメータを決定する（図２（Ａ）（Ｓ２）参照）。
【００４６】
なお、この状態を図３（Ｂ）に示す。情報処理装置１００は、標識１２９の位置を測位することができる。言い換えると、情報処理装置１００は、情報処理装置１００と標識１２９の配置を特定できる。例えば、情報処理装置１００は、図中のＸ軸およびＹ軸で定義される平面上のどの位置に配置されているかを特定できる。
【００４７】
第１の補正パラメータを決定する方法の一例を説明する。情報処理装置１００が画像情報を表示部１２２に表示する際に用いる原点を、左上に十字で示す（図３（Ｂ）参照）。標識１２９に基づいて決定されるＸ軸およびＹ軸が交差する点から、情報処理装置１００が画像情報を表示する際に用いる原点までのベクトルの逆ベクトルを、第１の補正パラメータとすることができる。
【００４８】
第３のステップにおいて、第１の補正パラメータに基づいて画像情報ＶＩＤＥＯを生成する（図２（Ａ）（Ｓ３）参照）。
【００４９】
例えば、Ｘ軸およびＹ軸が交差する点に基づく楕円形の画像情報に、第１の補正パラメータを加えることにより、画像情報ＶＩＤＥＯを生成することができる（図３（Ｂ）参照）。情報処理装置１００には、生成された楕円形の画像の一部が表示されている。
【００５０】
第４のステップにおいて、割り込み処理を許可する（図２（Ａ）（Ｓ４）参照）。
【００５１】
第５のステップにおいて、画像情報ＶＩＤＥＯを表示する（図２（Ａ）（Ｓ５）参照）。
【００５２】
第６のステップにおいて、割り込み処理で終了命令が供給された場合は第７のステップに進み、終了命令が供給されない場合は第５のステップに戻る（図２（Ａ）（Ｓ６）参照）。
【００５３】
第７のステップにおいて、終了する（図２（Ａ）（Ｓ７）参照）。
【００５４】
割り込み処理について説明する（図２（Ｂ）参照）。
【００５５】
第８のステップにおいて、表示命令ＩＭＧが供給された場合は第９のステップに進み、表示命令ＩＭＧが供給されない場合は第１０のステップに進む（図２（Ｂ）（Ｔ８）参照）。
【００５６】
第９のステップにおいて、表示命令ＩＭＧに基づいて画像情報ＶＩＤＥＯを生成する（図２（Ｂ）（Ｔ９）参照）。
【００５７】
例えば、画像を右へ移動する表示命令ＩＭＧが供給された場合、右に移動された画像情報ＶＩＤＥＯを生成する。
【００５８】
第１０のステップにおいて、測位情報ＰＯＳＩから第２の補正パラメータを決定する（図２（Ｂ）（Ｔ１０）参照）。
【００５９】
第２の補正パラメータは、第１の補正パラメータを決定する方法と同じ方法で、決定することができる。
【００６０】
例えば、情報処理装置１００を移動した場合、標識１２９に基づいて決定されるＸ軸およびＹ軸が交差する点から移動後の情報処理装置１００が画像情報を表示する際に用いる原点までのベクトルの、逆ベクトルを第２の補正パラメータとすることができる。
【００６１】
第１１のステップにおいて、第２の補正パラメータが第１の補正パラメータと異なる場合は第１２のステップへ進み、同じ場合は第１３のステップへ進む（図２（Ｂ）（Ｔ１１）参照）。
【００６２】
第１２のステップにおいて、第２の補正パラメータに基づいて画像情報ＶＩＤＥＯを生成する（図２（Ｂ）（Ｔ１２）参照）。
【００６３】
第１３のステップにおいて、割り込み処理から復帰する（図２（Ｂ）（Ｔ１３）参照）。
【００６４】
本実施の形態で例示する情報処理装置１００は、表示命令ＩＭＧおよび／または測位情報ＰＯＳＩに基づいて画像情報ＶＩＤＥＯを生成するステップを備えるプログラムを記憶する記憶部１１２を含んで構成される。これにより、表示命令ＩＭＧおよび／または情報処理装置１００と標識１２９の配置の変化に基づいて画像情報ＶＩＤＥＯを生成し、当該画像情報ＶＩＤＥＯを表示し直すことができる。また、情報処理装置１００の使用者は表示部１２２に表示する領域を、情報処理装置１００または標識１２９を移動することにより直観的に選択することができる。その結果、一覧性に優れた情報処理装置を提供することができる。または、可搬性に優れた情報処理装置を提供することができる。
【００６５】
以下に、本発明の一態様の情報処理装置１００を構成する個々の要素について説明する。
【００６６】
《入出力装置》
入出力装置１２０は、入出力インターフェース１１５を介して伝送路１１４に接続される。入出力装置１２０は外部の情報を情報処理装置１００に供給することができる。また、情報処理装置１００の内部の情報を外部に供給することができる。
【００６７】
《通信部》
通信部１２５は、情報処理装置１００を外部の機器またはネットワークに接続する。情報処理装置１００はさまざまな命令を含む情報ＣＯＭを、外部から取得、または外部に供給することができる。
【００６８】
情報ＣＯＭの一例として、表示命令ＩＭＧを挙げることができる。表示命令ＩＭＧは、例えば、演算部１１１に画像情報ＶＩＤＥＯを生成または消去等させる命令である。また、表示命令ＩＭＧは、画像情報ＶＩＤＥＯを表示する位置を指定する命令、画像情報ＶＩＤＥＯを選択する命令等を含む。
【００６９】
通信部１２５には、例えば、近距離にある他の機器との通信を電波または赤外線等を用いて無線で行うもの、有線で行うものが挙げられる。また、電波等を用いて無線でまたは有線でネットワークに接続する通信機器、具体的にはハブ、ルータまたはモデム等を挙げることができる。
【００７０】
《標識および測位部》
標識１２９に用いることができるものとして、例えば、電波、光、または磁力等の電磁波等、音波等もしくは画像、模様、突起物等の物の形状や配置等を挙げることができる。
【００７１】
測位部１２４は、標識１２９を検知してセンサ信号を供給するセンサおよびセンサ信号を処理して測位情報を生成し供給するセンサ信号処理回路を備える。
【００７２】
センサおよびセンサ信号処理回路は、標識１２９を測位できるものを選択して用いる。具体的には、情報処理装置の周辺に配置されたものの模様や風景の画像を標識１２９に用いる場合は、撮像素子を測位部１２４に用い、センサ信号処理回路に画像処理回路を用いることができる。または、互いに異なる方法で変調された電磁波等の信号を発する複数の発信器を備える標識１２９を用いる場合は、受信機を測位部１２４に用いることができる。または、衛星航法システムの衛星、例えばＧＰＳ（Ｇｌｏｂａｌ  ｐｏｓｉｔｉｏｎｉｎｇ  Ｓｙｓｔｅｍ）信号を発する衛星を標識１２９に用いることもできる。
【００７３】
なお、標識および測位部の具体的な構成について、実施の形態２で詳細に説明する。
【００７４】
《表示部》
表示部１２２は、画像情報ＶＩＤＥＯを表示する。なお、一の画像情報を表示部１２２に表示して、連続する画像情報をそれに隣接して配置された他の情報処理装置の表示部に表示して、ふたつの表示部を一の大きな画面として、用いることができる。また、表示部１２２の画像情報ＶＩＤＥＯが表示される部分を囲む領域（額縁ともいう）が狭いほど、ふたつの表示部の間隔を狭くすることができるため好ましい。これにより、一覧性に優れた表示が可能になる。
【００７５】
なお、表示部１２２が可撓性を有すると、折り畳むことができる。本実施の形態に適用することができる可撓性を有する表示部の構成については、実施の形態５及び実施の形態６で詳細に説明する。
【００７６】
また、２つに折り畳むことができる構成であっても、３つ以上に折り畳むことができる構成であってもよい。折り畳むことができる数が多いほど、可搬性に優れた情報処理装置を提供することができる。
【００７７】
《入力手段》
入力手段１２１は、終了命令を含む操作命令ＩＮＰＵＴ等を供給することができる。なお、終了命令はプログラムを終了する命令である。
【００７８】
入力手段１２１として、さまざまなヒューマンインターフェイス等を用いることができる。具体的には、キーボード、マウス、タッチセンサ、マイクまたはカメラ等を用いることができる。特に、ポインタを用いる操作命令の供給方法は、直観的な操作を可能にするため便利である。
【００７９】
例えば、表示部１２２に重ねて一体に設けられた入力手段１２１にタッチパネルを適用する場合、情報処理装置１００の使用者は、タッチパネルに触れた指をポインタに用いてするジェスチャー（タップ、ドラッグ、スワイプまたはピンチイン等）で、終了命令を含む操作命令ＩＮＰＵＴ等を入力することができる。
【００８０】
《検知部》
検知部１２３は、情報処理装置１００およびその周囲の状態を検知して検知情報ＳＥＮＳを供給する。
【００８１】
検知部１２３は、加速度、方位、圧力、温度または湿度等を検知して、その情報を供給してもよい。
【００８２】
《その他》
入出力装置１２０として、例えばカメラ、マイク、読み取り専用の外部記憶部、外部記憶部、通信機器、スキャナー、スピーカ、プリンタ等を用いることができる。
【００８３】
具体的には、カメラとして、デジタルカメラ、デジタルビデオカメラ等を用いることができる。
【００８４】
外部記憶部としては、ハードディスク、リムーバブルメモリなどを用いることができる。また、読み取り専用の外部記憶部としては、ＣＤＲＯＭ、ＤＶＤＲＯＭなどを用いることができる。
【００８５】
なお、本実施の形態は、本明細書で示す他の実施の形態と適宜組み合わせることができる。
【００８６】
（実施の形態２）
本実施の形態では、本発明の一態様の情報処理装置１００Ｇの構成について、図４を参照しながら説明する。
【００８７】
図４は、標識１２９と標識１２９を測位する情報処理装置１００Ｇを説明する模式図及びフロー図である。図４（Ａ）は標識１２９とそれに隣接して配置された情報処理装置１００Ｇを説明する模式図であり、図４（Ｂ）は情報処理装置１００Ｇの測位部１２４が、標識１２９を測位する方法について説明するフロー図である。図４（Ｃ）は取得した画像から標識を測位する方法について説明する図である。
【００８８】
本実施の形態で説明する情報処理装置１００Ｇの測位部１２４は、表示部１２２Ｇに沿って配置されセンサ信号を供給するセンサ１２４Ｙおよびセンサ１２４Ｘ並びにセンサ信号を処理するセンサ信号処理回路を備える（図４（Ａ）参照）。
【００８９】
センサ１２４Ｙは表示部１２２Ｇの一の辺に沿って配置され、センサ１２４Ｘは他の辺に沿って配置される。なお、センサ１２４Ｙおよびセンサ１２４Ｘには、標識１２９を検知して、標識１２９を測位できるセンサを選択して用いる。
【００９０】
例えばライン状にセンサが配置されたラインセンサ等を、センサ１２４Ｙおよびセンサ１２４Ｘに用いることができる。
【００９１】
センサ１２４Ｙおよびセンサ１２４Ｘを表示部１２２Ｇの周囲に沿って配置すると、表示部１２２Ｇの近くで標識１２９を測位することができ、精度を高めることができる。
【００９２】
なお、センサ信号処理回路は、センサ１２４Ｙおよびセンサ１２４Ｘが標識１２９を検知して供給するセンサ信号を処理して、標識１２９を測位する回路である。
【００９３】
撮像素子と画像処理回路を用いて構成された測位部について、説明する。
【００９４】
なお、標識１２９は所定の間隔で配置された発光素子１２９Ｙ（１）と発光素子１２９Ｙ（２）を含む。これにより、測位部１２４は標識１２９を特定することができる。例えば、測位部１２４が、所定の間隔で配置された発光素子１２９Ｙ（１）と発光素子１２９Ｙ（２）を検知した場合にのみ、標識１２９を測位するようにすることができる。
【００９５】
本実施形態で例示する情報処理装置１００Ｇは、測位部１２４が、表示部１２２Ｇに沿って配置された撮像素子（センサ１２４Ｙおよびセンサ１２４Ｘ）および画像処理回路（センサ信号処理回路）を備える。
【００９６】
センサ１２４Ｙは５０個の撮像素子をライン状に備える。また、センサ１２４Ｘは３０個の撮像素子をライン状に備える。センサ１２４Ｙおよびセンサ１２４Ｘは撮像した画像を図示されていない画像処理回路に供給することができる。
【００９７】
画像処理回路は、以下のステップを含む処理を実行する。
【００９８】
第１のステップにおいて、初期化する（図４（Ｂ）（Ｕ１）参照）。
【００９９】
第２のステップにおいて、標識１２９の画像（標識像という）を、撮像素子（センサ１２４Ｙおよびセンサ１２４Ｘ）を用いて取得する（図４（Ｂ）（Ｕ２）参照）。
【０１００】
第３のステップにおいて、標識像を二値化して、二値画像を生成する（図４（Ｂ）（Ｕ３）参照）。
【０１０１】
第４のステップにおいて、二値画像が所定のパターンを含む場合は第５のステップに進み、含まない場合は第６のステップに進む（図４（Ｂ）（Ｕ４）参照）。
【０１０２】
第５のステップにおいて、標識１２９の測位情報を二値画像における所定のパターンの座標から生成する（図４（Ｂ）（Ｕ５）参照）。
【０１０３】
第６のステップにおいて、第１のステップに戻る（図４（Ｂ）（Ｕ６）参照）。
【０１０４】
本実施の形態で例示する情報処理装置は、表示部１２２Ｇに沿って配置され且つ標識１２９を検知して信号を供給することができるセンサ１２４Ｙおよび１２４Ｘを備える測位部を含んで構成される。これにより、表示命令および／または表示部と標識の配置の変化に基づいて画像情報を生成し、当該画像情報を表示し直すことができる。また、情報処理装置の使用者は表示部に表示する領域を、情報処理装置または標識を移動することにより直観的に選択することができる。その結果、一覧性に優れた情報処理装置を提供することができる。または、可搬性に優れた情報処理装置を提供することができる。
【０１０５】
本実施の形態で例示する情報処理装置１００Ｇの画像処理回路が、センサ１２４Ｙを用いて取得した画像から標識１２９を測位する方法について、図４（Ｃ）を用いて説明する。
【０１０６】
撮像素子（センサ１２４Ｙ）が取得する発光素子の画像の模式図を、図４（Ｃ）の上から、発光素子と撮像素子（センサ１２４Ｙ）の距離が次第に近くなる順に図示する。
【０１０７】
発光素子１２９Ｙ（１）および発光素子１２９Ｙ（２）から撮像素子（センサ１２４Ｙ）までの距離が離れている場合、撮像素子（センサ１２４Ｙ）が取得する発光素子の画像は暗い、周辺がぼやけたものになる。
【０１０８】
発光素子１２９Ｙ（１）および発光素子１２９Ｙ（２）から撮像素子（センサ１２４Ｙ）までの距離が近づくと、撮像素子（センサ１２４Ｙ）が取得する発光素子の画像は次第に明るい、周辺が明瞭なものになる。
【０１０９】
さらに、発光素子１２９Ｙ（１）および発光素子１２９Ｙ（２）に撮像素子（センサ１２４Ｙ）が接すると、発光素子の画像は非常に明るい、明瞭なものになる。なお、第１６の撮像素子と第３２の撮像素子が取得した明瞭な画像を図４（Ｃ）に図示する。
【０１１０】
画像処理回路は、撮像素子（センサ１２４Ｙ）が取得する画像を二値化することができる。そして、所定の明るさを超えたか否か、輪郭が所定の大きさであるか否か、また、標識がラインセンサのどの位置に在るかを知ることができる。これにより、目的の標識がセンサ１２４Ｙに接して、どの位置に在るかを測位することができる。また、所定の間隔で配置されたパターンを含むか否かを知ることができるため、目的の標識であるか否かも判断することができる。
【０１１１】
なお、本実施の形態は、本明細書で示す他の実施の形態と適宜組み合わせることができる。
【０１１２】
（実施の形態３）
本実施の形態では、本発明の一態様の情報処理システム２００について、図５乃至図７を参照しながら説明する。
【０１１３】
図５は、本実施の形態で例示する情報処理システム２００の構成を説明するブロック図である。
【０１１４】
図６は、情報処理システム２００を構成する一の情報処理装置１００Ｇが記憶するプログラムを説明するフロー図である。図６（Ａ）は、主たる処理を説明するフロー図であり、図６（Ｂ）は割り込み処理を説明するためのフロー図である。
【０１１５】
図７は、情報処理システム２００が画像情報を表示する動作を説明する模式図である。
【０１１６】
本実施の形態で例示して説明する情報処理システム２００は、標識１２９と、標識１２９を測位し、表示命令ＩＭＧおよび第１の測位情報ＰＯＳＩ（Ｈ）を供給する第１の情報処理装置１００Ｈと、標識１２９を測位し、表示命令ＩＭＧおよび第１の測位情報ＰＯＳＩ（Ｈ）を供給される第２の情報処理装置１００Ｇと、を有する（図５参照）。
【０１１７】
第１の情報処理装置１００Ｈは、表示命令ＩＭＧおよび第１の測位情報ＰＯＳＩ（Ｈ）を供給する第１の入出力装置１２０Ｈを有し、第１の入出力装置１２０Ｈは、標識１２９を測位して第１の測位情報ＰＯＳＩ（Ｈ）を生成する第１の測位部１２４Ｈ、表示命令ＩＭＧを供給することができる第１の入力手段１２１Ｈおよび表示命令ＩＭＧ並びに第１の測位情報ＰＯＳＩ（Ｈ）を供給することができる第１の通信部１２５Ｈを備える。
【０１１８】
第２の情報処理装置１００Ｇは、画像情報ＶＩＤＥＯ（Ｇ）が供給され、表示命令ＩＭＧ並びに第１の測位情報ＰＯＳＩ（Ｈ）および第２の測位情報ＰＯＳＩ（Ｇ）を供給する第２の入出力装置１２０Ｇと、第１の測位情報ＰＯＳＩ（Ｈ）および第２の測位情報ＰＯＳＩ（Ｇ）が供給され、表示命令ＩＭＧ、第１の測位情報ＰＯＳＩ（Ｈ）および第２の測位情報ＰＯＳＩ（Ｇ）に基づいて画像情報ＶＩＤＥＯ（Ｇ）を生成し且つ供給する演算装置１１０Ｇと、を備える。
【０１１９】
第２の入出力装置１２０Ｇは、表示命令ＩＭＧおよび第１の測位情報ＰＯＳＩ（Ｈ）を供給される第２の通信部１２５Ｇ、標識１２９を測位して第２の測位情報ＰＯＳＩ（Ｇ）を生成する第２の測位部１２４Ｇおよび画像情報ＶＩＤＥＯ（Ｇ）を表示する表示部１２２Ｇを具備する。
【０１２０】
演算装置１１０Ｇは、演算部１１１Ｇおよび演算部１１１Ｇに実行させるプログラムを記憶する記憶部１１２Ｇを具備する。
【０１２１】
プログラムは、画像情報ＶＩＤＥＯ（Ｇ）を表示命令ＩＭＧ、第１の測位情報ＰＯＳＩ（Ｈ）および第２の測位情報ＰＯＳＩ（Ｇ）に基づいて生成させる。
【０１２２】
本実施の形態で例示する情報処理システム２００は、標識１２９と、第１の情報処理装置１００Ｈおよび第２の情報処理装置１００Ｇを有する。そして、第１の情報処理装置１００Ｈが、表示命令ＩＭＧおよび標識１２９についての第１の測位情報ＰＯＳＩ（Ｈ）を供給し、第２の情報処理装置１００Ｇが標識１２９についての第２の測位情報ＰＯＳＩ（Ｇ）を取得し且つ表示命令ＩＭＧおよび第１の測位情報ＰＯＳＩ（Ｈ）を供給される。これにより、第２の情報処理装置１００Ｇは、第１の情報処理装置１００Ｈが供給する表示命令ＩＭＧおよび／または第１の情報処理装置との配置に基づいて、画像情報ＶＩＤＥＯを生成し、表示し直すことができる。その結果、一覧性に優れた情報処理システムを提供することができる。または、可搬性に優れた情報処理システムを提供することができる。
【０１２３】
なお、本実施の形態で例示して説明する演算装置１１０Ｇは、入出力インターフェース１１５Ｇおよび伝送路１１４Ｇを備える（図５参照）。
【０１２４】
入出力インターフェース１１５Ｇは、第２の入出力装置１２０Ｇから情報が供給され、情報を第２の入出力装置１２０Ｇに供給することができる。
【０１２５】
伝送路１１４Ｇは、情報を演算部１１１Ｇ、記憶部１１２Ｇおよび入出力インターフェース１１５Ｇに供給することができる。また、演算部１１１Ｇ、記憶部１１２Ｇおよび入出力インターフェース１１５Ｇは、情報を伝送路１１４Ｇに供給することができる。
【０１２６】
第１の入出力装置１２０Ｈは第１の入力手段１２１Ｈ、表示部１２２Ｈおよび検知部１２３Ｈ等を備え、第２の入出力装置１２０Ｇは第２の入力手段１２１Ｇ、表示部１２２Ｇおよび検知部１２３Ｇ等を備える。
【０１２７】
第１の入力手段１２１Ｈは操作命令ＩＮＰＵＴ等を供給することができ、第２の入力手段１２１Ｇは操作命令ＩＮＰＵＴ等を供給することができる。なお、操作命令ＩＮＰＵＴは、表示命令ＩＭＧおよび終了命令等を含む。終了命令はプログラムを終了する命令である。
【０１２８】
検知部１２３Ｈおよび検知部１２３Ｇはセンサを備え、センサが検知した情報に応じた検知信号ＳＥＮＳを供給することができる。
【０１２９】
標識１２９は、測位部１２４Ｈおよび測位部１２４Ｇに検知され、その位置を知ることができる。
【０１３０】
なお、これらの構成は明確に分離できず、一つの構成が他の構成を兼ねる場合や他の構成の一部を含む場合がある。例えば、表示部およびタッチセンサが重ねられたタッチパネルは、表示部であるとともに入力手段でもある。
【０１３１】
また、本実施の形態で例示して説明する第２の情報処理装置１００Ｇは、以下のステップを含むプログラムを記憶する記憶部１１２Ｇを備える（図６および図７参照）。
【０１３２】
《プログラム》
第１のステップにおいて、初期化をする（図６（Ａ）（Ｖ１）参照）。
【０１３３】
第２のステップにおいて、第１の測位情報ＰＯＳＩ（Ｈ）および第２の測位情報ＰＯＳＩ（Ｇ）に基づいて第１の補正パラメータを決定する（図６（Ａ）（Ｖ２）参照）。
【０１３４】
なお、この状態を図７に示す。第１の情報処理装置１００Ｈおよび第２の情報処理装置１００Ｇは、いずれも標識１２９の位置を測位することができる。言い換えると、第１の情報処理装置１００Ｈおよび第２の情報処理装置１００Ｇは、いずれもそれ自身と標識１２９の配置を特定できる。例えば、第１の情報処理装置１００Ｈおよび第２の情報処理装置１００Ｇは、それ自身が図中のＸ軸およびＹ軸で定義される平面上のどの位置に配置されているかを特定できる。
【０１３５】
第１の補正パラメータを決定する方法の一例を説明する。第１の情報処理装置１００Ｈが画像情報を表示部１２２Ｈに表示する際に用いる原点を、その表示部の左上に十字で示す。同様に、第２の情報処理装置１００Ｇが画像情報を表示部１２２Ｇに表示する際に用いる原点を、その表示部の左上に十字で示す（図７参照）。
【０１３６】
標識１２９に基づいて決定されるＸ軸およびＹ軸が交差する点から、第１の情報処理装置１００Ｈが画像情報を表示する際に用いる原点までのベクトルＨを、第１の測位情報ＰＯＳＩ（Ｈ）とすることができる。
【０１３７】
標識１２９に基づいて決定されるＸ軸およびＹ軸が交差する点から、第２の情報処理装置１００Ｇが画像情報を表示する際に用いる原点までのベクトルＧを、第２の測位情報ＰＯＳＩ（Ｇ）とすることができる。
【０１３８】
ベクトルＨからベクトルＧを減算したベクトルを、第１の補正パラメータとすることができる。
【０１３９】
第３のステップにおいて、第１の補正パラメータに基づいて画像情報ＶＩＤＥＯ（Ｇ）を生成する（図６（Ａ）（Ｖ３）参照）。
【０１４０】
第４のステップにおいて、割り込み処理を許可する（図６（Ａ）（Ｖ４）参照）。
【０１４１】
第５のステップにおいて、画像情報ＶＩＤＥＯ（Ｇ）を表示する（図６（Ａ）（Ｖ５）参照）。
【０１４２】
第６のステップにおいて、割り込み処理で終了命令が供給された場合は第７のステップに進み、終了命令が供給されない場合は第５のステップに戻る（図６（Ａ）（Ｖ６）参照）。
【０１４３】
第７のステップにおいて、終了する（図６（Ａ）（Ｖ７）参照）。
【０１４４】
割り込み処理について説明する（図６（Ｂ）参照）。
【０１４５】
第８のステップにおいて、表示命令ＩＭＧが供給された場合は第９のステップに進み、表示命令ＩＭＧが供給されない場合は第１０のステップに進む（図６（Ｂ）（Ｗ８）参照）。
【０１４６】
第９のステップにおいて、表示命令ＩＭＧに基づいて画像情報ＶＩＤＥＯ（Ｇ）を生成する（図６（Ｂ）（Ｗ９）参照）。
【０１４７】
例えば、画像を右へ移動する表示命令ＩＭＧが供給された場合、右に移動された画像情報ＶＩＤＥＯ（Ｇ）を生成する。
【０１４８】
第１０のステップにおいて、第１の測位情報ＰＯＳＩ（Ｈ）および第２の測位情報ＰＯＳＩ（Ｇ）から第２の補正パラメータを決定する（図６（Ｂ）（Ｗ１０）参照）。
【０１４９】
第２の補正パラメータは、第１の補正パラメータを決定する方法と同じ方法で、決定することができる。
【０１５０】
例えば、第１の情報処理装置１００Ｈを移動し、第２の情報処理装置１００Ｇを移動しない場合、標識１２９に基づいて決定されるＸ軸およびＹ軸が交差する点から、移動後の第１の情報処理装置１００Ｈが画像情報を表示する際に用いる原点までのベクトルＨ（第１の測位情報ＰＯＳＩ（Ｈ）ともいえる）が変化する。一方、第２の情報処理装置１００Ｇが画像情報を表示する際に用いる原点までのベクトルＧ（第２の測位情報ＰＯＳＩ（Ｇ）ともいえる）が変化しない（図７参照）。
【０１５１】
ベクトルＨからベクトルＧを減算したベクトルを、第２の補正パラメータとすることができる。
【０１５２】
第１１のステップにおいて、第２の補正パラメータが第１の補正パラメータと異なる場合は第１２のステップへ進み、同じ場合は第１３のステップへ進む（図６（Ｂ）（Ｗ１１）参照）。
【０１５３】
第１２のステップにおいて、第２の補正パラメータに基づいて画像情報ＶＩＤＥＯ（Ｇ）を生成する（図６（Ｂ）（Ｗ１２）参照）。
【０１５４】
第１３のステップにおいて、割り込み処理から復帰する（図６（Ｂ）（Ｗ１３）参照）。
【０１５５】
本実施の形態で例示する情報処理システム２００は、標識１２９と、第１の情報処理装置１００Ｈおよび第２の情報処理装置１００Ｇを有する。そして、第２の情報処理装置１００Ｇは、表示命令ＩＭＧ、第１の測位情報ＰＯＳＩ（Ｈ）および第２の測位情報ＰＯＳＩ（Ｇ）に基づいて画像情報ＶＩＤＥＯ（Ｇ）を生成するステップを備えるプログラムを記憶する記憶部を含んで構成される。これにより、第２の情報処理装置１００Ｇは、表示命令ＩＭＧ、第１の測位情報ＰＯＳＩ（Ｈ）および第２の測位情報ＰＯＳＩ（Ｇ）に基づいて、画像情報ＶＩＤＥＯ（Ｇ）を生成し、表示し直すことができる。また、情報処理システム２００の使用者は第２の情報処理装置１００Ｇの表示部１２２Ｇに表示する領域を、第１の情報処理装置１００Ｈまたは第２の情報処理装置１００Ｇを移動することにより直観的に選択することができる。その結果、一覧性に優れた情報処理システムを提供することができる。または、可搬性に優れた情報処理システムを提供することができる。
【０１５６】
なお、本実施の形態は、本明細書で示す他の実施の形態と適宜組み合わせることができる。
【０１５７】
（実施の形態４）
本実施の形態では、本発明の一態様の情報処理システム２００Ｂについて、図８乃至図１０を参照しながら説明する。
【０１５８】
図８（Ａ）は、標識１２９が一体に構成された第１の情報処理装置１００Ｂおよびそれを含む情報処理システム２００Ｂの模式図である。
【０１５９】
図８（Ｂ）は、標識１２９（１）が一体に構成された情報処理装置１００Ｂ（１）および標識１２９（２）が一体に構成された情報処理装置１００Ｂ（２）を含む情報処理システム２００Ｃの模式図である。
【０１６０】
図９（Ａ−１）および図９（Ａ−２）は、標識１２９が一体に構成された第１の情報処理装置１００Ｂの構成を説明する模式図である。図９（Ｂ）は、標識１２９が一体に構成された第１の情報処理装置１００Ｄの構成を説明する模式図である。
【０１６１】
図１０は、画像情報ＶＩＤＥＯを表示する情報処理システム２００Ｃを説明する模式図である。
【０１６２】
図１１は、画像情報ＶＩＤＥＯを表示する情報処理システム２００Ｃを説明する模式図である。
【０１６３】
情報処理システム２００Ｂは、標識１２９が一体に構成された第１の情報処理装置１００Ｂを含む点を除いて、実施の形態３で説明する情報処理システム２００と同じ構成を備える。
【０１６４】
本実施の形態で例示して説明する情報処理システム２００Ｂは、第１の情報処理装置１００Ｂが標識１２９を有する（図８（Ａ）参照）。
【０１６５】
本実施の形態で例示する情報処理システム２００Ｂは、第１の情報処理装置１００Ｂおよび第２の情報処理装置１００Ｇを有する。そして、第１の情報処理装置１００Ｂが標識１２９を備え且つ表示命令ＩＭＧを供給することができ、第２の情報処理装置１００Ｇが標識１２９を測位し且つ表示命令ＩＭＧを供給される。これにより、第２の情報処理装置１００Ｇは、第１の情報処理装置１００Ｂが供給する表示命令および／または第１の情報処理装置１００Ｂとの配置に基づいて、画像情報ＶＩＤＥＯを生成し、表示し直すことができる。その結果、一覧性に優れた情報処理システムを提供することができる。または、可搬性に優れた情報処理システムを提供することができる。
【０１６６】
また、本実施の形態の変形例で例示して説明する情報処理システム２００Ｃは、情報処理装置１００Ｂ（１）が標識１２９（１）を有し、情報処理装置１００Ｂ（２）が標識１２９（２）を有する（図８（Ｂ）参照）。
【０１６７】
本実施の形態で例示する情報処理システム２００Ｃは、情報処理装置１００Ｂ（１）およびの情報処理装置１００Ｂ（２）を有する。そして、情報処理装置１００Ｂ（１）が標識１２９（１）を備え且つ表示命令ＩＭＧを供給することができ、情報処理装置１００Ｂ（２）が標識１２９（１）を測位し且つ表示命令ＩＭＧを供給される。これにより、情報処理装置１００Ｂ（２）は、情報処理装置１００Ｂ（１）が供給する表示命令ＩＭＧおよび／または情報処理装置１００Ｂ（１）との配置に基づいて、画像情報ＶＩＤＥＯを生成し、表示し直すことができる。その結果、一覧性に優れた情報処理システムを提供することができる。または、可搬性に優れた情報処理システムを提供することができる。
【０１６８】
第１の情報処理装置１００Ｂに適用可能な構成について、図９（Ａ−１）および図９（Ａ−２）を用いて説明する。なお、図９（Ａ−２）は、図９（Ａ−１）に示す第１の情報処理装置１００Ｂを反転して図示したものである。
【０１６９】
また、第１の情報処理装置１００Ｂは、情報処理システム２００Ｃの情報処理装置１００Ｂ（１）または情報処理装置１００Ｂ（２）にも適用することができる。
【０１７０】
第１の情報処理装置１００Ｂは、標識１２９が一体に構成されている点を除いて、実施の形態１または実施の形態２で説明する情報処理装置１００と同様の構成を備える。具体的には、第１の情報処理装置１００Ｂは、図示されていない演算装置および入出力装置を備える。
【０１７１】
《標識を備える情報処理装置》
本実施の形態で説明する情報処理システム２００Ｂの第１の情報処理装置１００Ｂは、表示部１２２に沿って標識１２９を備える。具体的には、表示部１２２を囲む４辺のうち一辺に第１から第５０の発光素子を含む発光素子群１２９Ｙを備え、隣接する他の一辺に第５１から第８０の発光素子を含む発光素子群１２９Ｘを備える（図９（Ａ−１）参照）。
【０１７２】
また、第１の情報処理装置１００Ｂは、表示部１２２に沿って測位部１２４のセンサを備える。具体的には、表示部１２２を囲む４辺のうち標識１２９が設けられていない一辺に第１から第５０の光電変換素子を含むセンサ１２４Ｙを備え、隣接する他の一辺に第５１から第８０の光電変換素子を含むセンサ１２４Ｘを備える（図９（Ａ−２）参照）。
【０１７３】
なお、標識１２９と測位部１２４のセンサの組み合わせは、標識１２９を測位できる組み合わせであればよく、発光素子と光電変換素子の組み合わせに限られない。
【０１７４】
また、情報処理システム２００Ｃの情報処理装置１００Ｂ（２）は、その表示部１２２（２）の周囲にセンサ１２４Ｙおよびセンサ１２４Ｘを備え、センサ１２４Ｙまたはセンサ１２４Ｘを用いて、情報処理装置１００Ｂ（１）の表示部１２２（１）の周囲に配置された発光素子群１２９Ｙまたは発光素子群１２９Ｘを、測位することができる（図８（Ｂ）、図９（Ａ−１）および図９（Ａ−２）参照）。
【０１７５】
これにより、表示部１２２（１）と表示部１２２（２）の配置を精度良く測位することができる。その結果、表示部１２２（１）からずれて配置された表示部１２２（２）に画像がずれて表示されないように、画像情報ＶＩＤＥＯを補正することができる。
【０１７６】
《標識を備える情報処理装置の変形例》
本実施の形態の変形例で例示する情報処理システム２００Ｂおよび情報処理システム２００Ｃに適用可能な情報処理装置１００Ｄは、標識１２９として機能する表示素子群１２９Ｗと測位部１２４のセンサ１２４Ｗを、表示部１２２Ｄに沿って備える。具体的には、表示部１２２Ｄを囲む４辺に発光素子を含む表示素子群１２９Ｗと光電変換素子を含むセンサ１２４Ｗを備える（図９（Ｂ）参照）。
【０１７７】
表示素子群１２９Ｗとしては、例えば有機エレクトロルミネッセンス素子、液晶素子、電子インク等を挙げることができる。
【０１７８】
また、センサ１２４Ｗとしては、例えばフォトダイオードを挙げることができる。
【０１７９】
表示素子群１２９Ｗとセンサ１２４Ｗの配置は、一の情報処理装置１００Ｄが、他の情報処理装置１００Ｄから測位できる配置であれば、特に限定されず、例えば複数の表示素子に対して一つのセンサが配置される構成であってもよい。
【０１８０】
なお、情報処理装置１００Ｄの表示素子群１２９Ｗまたは／およびセンサ１２４Ｗに表示部１２２と同じ構成を適用してもよい。例えば、可撓性を有する光学式のタッチパネルを、表示部１２２Ｄおよび表示部１２２Ｄの外側に適用し、表示部１２２Ｄの外側に延在する部分を折り曲げて、表示素子群１２９Ｗおよびセンサ１２４Ｗに用いることができる。
【０１８１】
可撓性を有するタッチパネルの構成については、実施の形態５で詳細に説明する。
【０１８２】
《表示の例》
画像情報を表示する情報処理システム２００Ｃの動作を、図１０および図１１を用いて説明する。
【０１８３】
情報処理装置１００Ｂ（１）は標識１２９（１）を備え、情報処理装置１００Ｂ（２）は標識１２９（２）を備える。
【０１８４】
情報処理装置１００Ｂ（２）が標識１２９（１）を測位できない場合（例えば、情報処理装置１００Ｂ（２）が標識１２９（１）から遠く離れている場合）、情報処理装置１００Ｂ（２）は情報処理装置１００Ｂ（１）から独立して動作する（図１０（Ａ）参照）。
【０１８５】
情報処理装置１００Ｂ（２）が標識１２９（１）を測位して、測位情報を取得した場合、情報処理装置１００Ｂ（２）は表示命令ＩＭＧおよび測位情報に基づいて画像情報を生成し、画像情報ＶＩＤＥＯを表示部１２２（２）に表示する。これにより、情報処理装置１００Ｂ（１）の表示部１２２（１）と情報処理装置１００Ｂ（２）の表示部１２２（２）に連続するように、画像情報ＶＩＤＥＯが表示される（図１０（Ｂ）参照）。
【０１８６】
情報処理装置１００Ｂ（２）を情報処理装置１００Ｂ（１）の標識１２９（１）に沿って移動した場合、情報処理装置１００Ｂ（２）は測位情報に基づいて画像情報ＶＩＤＥＯを生成し、画像情報ＶＩＤＥＯを表示部１２２（２）に表示する（図１１（Ａ）参照）。これにより、情報処理装置１００Ｂ（１）の表示部１２２（１）と情報処理装置１００Ｂ（２）の表示部１２２（２）に連続して、画像が表示されるように、表示部１２２（２）に表示される画像情報ＶＩＤＥＯが変化する。
【０１８７】
また、情報処理装置１００Ｂ（２）が、Ｘ軸とＹ軸であらわされる平面と交差するＺ軸方向に移動した場合にも、情報処理装置１００Ｂ（２）は測位情報に基づいて画像情報を生成し、画像情報を表示部１２２（２）に表示する。例えば、Ｚ軸方向の画像（具体的には奥行の断面における画像等）を表示してもよい（図１１（Ｂ）参照）。なお、Ｚ軸方向の移動量は、例えば加速度センサを備える検知部を用いて、算出することができる。
【０１８８】
図示されていない入力手段を用いて情報処理装置１００Ｂ（１）が、例えば画像情報ＶＩＤＥＯを右方向に移動する表示命令ＩＭＧを供給した場合、情報処理装置１００Ｂ（２）は表示命令ＩＭＧに基づいて画像情報ＶＩＤＥＯを生成し、画像情報ＶＩＤＥＯを表示部１２２（２）に表示する。これにより、情報処理装置１００Ｂ（１）の表示部１２２（１）と情報処理装置１００Ｂ（２）の表示部１２２（２）に連続するように、画像情報ＶＩＤＥＯが表示される（図１１（Ｃ）参照）。
【０１８９】
なお、本実施の形態は、本明細書で示す他の実施の形態と適宜組み合わせることができる。
【０１９０】
（実施の形態５）
本実施の形態では、本発明の一態様の情報処理装置に適用することができる入出力装置の構成について、図１２を参照しながら説明する。
【０１９１】
図１２（Ａ）は本発明の一態様の情報処理装置に適用可能な入出力装置の構造を説明する上面図である。
【０１９２】
図１２（Ｂ）は図１２（Ａ）の切断線Ａ−Ｂおよび切断線Ｃ−Ｄにおける断面図である。
【０１９３】
図１２（Ｃ）は図１２（Ａ）の切断線Ｅ−Ｆにおける断面図である。
【０１９４】
＜上面図の説明＞
本実施の形態で例示する入出力装置３００は表示部３０１を有する（図１２（Ａ）参照）。
【０１９５】
表示部３０１は、複数の画素３０２と複数の撮像画素３０８を備える。撮像画素３０８は表示部３０１に触れる指等を検知することができる。これにより、撮像画素３０８を用いてタッチセンサを構成することができる。
【０１９６】
画素３０２は、複数の副画素（例えば副画素３０２Ｒ）を備え、副画素は発光素子および発光素子を駆動する電力を供給することができる画素回路を備える。
【０１９７】
画素回路は、選択信号を供給することができる配線および画像信号を供給することができる配線と、電気的に接続される。
【０１９８】
また、入出力装置３００は選択信号を画素３０２に供給することができる走査線駆動回路３０３ｇ（１）と、画像信号を画素３０２に供給することができる画像信号線駆動回路３０３ｓ（１）を備える。
【０１９９】
撮像画素３０８は、光電変換素子および光電変換素子を駆動する撮像画素回路を備える。
【０２００】
撮像画素回路は、制御信号を供給することができる配線および電源電位を供給することができる配線と電気的に接続される。
【０２０１】
制御信号としては、例えば記録された撮像信号を読み出す撮像画素回路を選択することができる信号、撮像画素回路を初期化することができる信号、および撮像画素回路が光を検知する時間を決定することができる信号などを挙げることができる。
【０２０２】
入出力装置３００は制御信号を撮像画素３０８に供給することができる撮像画素駆動回路３０３ｇ（２）と、撮像信号を読み出す撮像信号線駆動回路３０３ｓ（２）を備える。
【０２０３】
＜断面図の説明＞
入出力装置３００は、基板３１０および基板３１０に対向する対向基板３７０を有する（図１２（Ｂ）参照）。
【０２０４】
基板３１０は、可撓性を有する基板３１０ｂ、意図しない不純物の発光素子への拡散を防ぐバリア膜３１０ａおよび基板３１０ｂとバリア膜３１０ａを貼り合わせる接着層３１０ｃが積層された積層体である。
【０２０５】
対向基板３７０は、可撓性を有する基板３７０ｂ、意図しない不純物の発光素子への拡散を防ぐバリア膜３７０ａおよび基板３７０ｂとバリア膜３７０ａを貼り合わせる接着層３７０ｃの積層体である（図１２（Ｂ）参照）。
【０２０６】
封止材３６０は対向基板３７０と基板３１０を貼り合わせている。また、封止材３６０は空気より大きい屈折率を備え、光学接合層を兼ねる。画素回路および発光素子（例えば第１の発光素子３５０Ｒ）は基板３１０と対向基板３７０の間にある。
【０２０７】
《画素の構成》
画素３０２は、副画素３０２Ｒ、副画素３０２Ｇおよび副画素３０２Ｂを有する（図１２（Ｃ）参照）。また、副画素３０２Ｒは発光モジュール３８０Ｒを備え、副画素３０２Ｇは発光モジュール３８０Ｇを備え、副画素３０２Ｂは発光モジュール３８０Ｂを備える。
【０２０８】
例えば副画素３０２Ｒは、第１の発光素子３５０Ｒおよび第１の発光素子３５０Ｒに電力を供給することができるトランジスタ３０２ｔを含む画素回路を備える（図１２（Ｂ）参照）。また、発光モジュール３８０Ｒは第１の発光素子３５０Ｒおよび光学素子（例えば着色層３６７Ｒ）を備える。
【０２０９】
発光素子３５０Ｒは、第１の下部電極３５１Ｒ、上部電極３５２、第１の下部電極３５１Ｒと上部電極３５２の間に発光性の有機化合物を含む層３５３を有する（図１２（Ｃ）参照）。
【０２１０】
発光性の有機化合物を含む層３５３は、発光ユニット３５３ａ、発光ユニット３５３ｂおよび発光ユニット３５３ａと発光ユニット３５３ｂの間に中間層３５４を備える。
【０２１１】
発光モジュール３８０Ｒは、第１の着色層３６７Ｒを対向基板３７０に有する。着色層は特定の波長を有する光を透過するものであればよく、例えば赤色、緑色または青色等を呈する光を選択的に透過するものを用いることができる。または、発光素子の発する光をそのまま透過する領域を設けてもよい。
【０２１２】
例えば、発光モジュール３８０Ｒは、第１の発光素子３５０Ｒと第１の着色層３６７Ｒに接する封止材３６０を有する。
【０２１３】
第１の着色層３６７Ｒは第１の発光素子３５０Ｒと重なる位置にある。これにより、発光素子３５０Ｒが発する光の一部は、光学接合層を兼ねる封止材３６０および第１の着色層３６７Ｒを透過して、図中の矢印に示すように発光モジュール３８０Ｒの外部に射出される。
【０２１４】
《表示パネルの構成》
入出力装置３００は、遮光層３６７ＢＭを対向基板３７０に有する。遮光層３６７ＢＭは、着色層（例えば第１の着色層３６７Ｒ）を囲むように設けられている。
【０２１５】
入出力装置３００は、反射防止層３６７ｐを表示部３０１に重なる位置に備える。反射防止層３６７ｐとして、例えば円偏光板を用いることができる。
【０２１６】
入出力装置３００は、絶縁膜３２１を備える。絶縁膜３２１はトランジスタ３０２ｔを覆っている。なお、絶縁膜３２１は画素回路に起因する凹凸を平坦化するための層として用いることができる。また、不純物のトランジスタ３０２ｔ等への拡散を抑制することができる層が積層された絶縁膜を、絶縁膜３２１に適用することができる。
【０２１７】
入出力装置３００は、発光素子（例えば第１の発光素子３５０Ｒ）を絶縁膜３２１上に有する。
【０２１８】
入出力装置３００は、第１の下部電極３５１Ｒの端部に重なる隔壁３２８を絶縁膜３２１上に有する（図１２（Ｃ）参照）。また、基板３１０と対向基板３７０の間隔を制御するスペーサ３２９を、隔壁３２８上に有する。
【０２１９】
《画像信号線駆動回路の構成》
画像信号線駆動回路３０３ｓ（１）は、トランジスタ３０３ｔおよび容量３０３ｃを含む。なお、駆動回路は画素回路と同一の工程で同一基板上に形成することができる。
【０２２０】
《撮像画素の構成》
撮像画素３０８は、光電変換素子３０８ｐおよび光電変換素子３０８ｐに照射された光を検知するための撮像画素回路を備える。また、撮像画素回路は、トランジスタ３０８ｔを含む。
【０２２１】
例えばｐｉｎ型のフォトダイオードを光電変換素子３０８ｐに用いることができる。
【０２２２】
《他の構成》
入出力装置３００は、信号を供給することができる配線３１１を備え、端子３１９が配線３１１に設けられている。なお、画像信号および同期信号等の信号を供給することができるＦＰＣ３０９（１）が端子３１９に電気的に接続されている。
【０２２３】
なお、ＦＰＣ３０９（１）にはプリント配線基板（ＰＷＢ）が取り付けられていても良い。
【０２２４】
なお、本実施の形態は、本明細書で示す他の実施の形態と適宜組み合わせることができる。
【０２２５】
（実施の形態６）
本実施の形態では、入力手段としてタッチセンサ（接触検出装置）が表示部に重ねて設けられ、折り曲げることができるタッチパネルの構成について、図１３及び図１４を参照しながら説明する。
【０２２６】
図１３（Ａ）は、本実施の形態で例示するタッチパネル５００の斜視概略図である。なお明瞭化のため、代表的な構成要素を図１３に示す。図１３（Ｂ）は、タッチパネル５００を展開した斜視概略図である。
【０２２７】
図１４は、図１３（Ａ）に示すタッチパネル５００のＸ１−Ｘ２における断面図である。
【０２２８】
タッチパネル５００は、表示部５０１とタッチセンサ５９５を備える（図１３（Ｂ）参照）。また、タッチパネル５００は、基板５１０、基板５７０および基板５９０を有する。なお、基板５１０、基板５７０および基板５９０はいずれも可撓性を有する。
【０２２９】
表示部５０１は、基板５１０、基板５１０上に複数の画素および画素に信号を供給することができる複数の配線５１１を備える。複数の配線５１１は、基板５１０の外周部にまで引き回され、その一部が端子５１９を構成している。端子５１９はＦＰＣ５０９（１）と電気的に接続する。
【０２３０】
＜タッチセンサ＞
基板５９０には、タッチセンサ５９５と、タッチセンサ５９５と電気的に接続する複数の配線５９８を備える。複数の配線５９８は基板５９０の外周部に引き回され、その一部がＦＰＣ５０９（２）と電気的に接続するための端子を構成している。なお、図１３（Ｂ）では明瞭化のため、基板５９０の裏面側（紙面奥側）に設けられるタッチセンサ５９５の電極や配線等を実線で示している。
【０２３１】
静電容量方式のタッチセンサが好ましい。静電容量方式としては、表面型静電容量方式、投影型静電容量方式等があり、投影型静電容量方式としては、主に駆動方式の違いから自己容量方式、相互容量方式などがある。相互容量方式を用いると同時多点検出が可能となるため好ましい。
【０２３２】
以下では、投影型静電容量方式のタッチセンサを適用する場合について、図１３（Ｂ）を用いて説明するが、指等の検知対象の近接または接触を検知することができるさまざまなセンサを適用することができる。
【０２３３】
投影型静電容量方式のタッチセンサ５９５は、電極５９１と電極５９２を有する。電極５９１は複数の配線５９８のいずれかと電気的に接続し、電極５９２は複数の配線５９８の他のいずれかと電気的に接続する。
【０２３４】
電極５９２は、図１３（Ａ）、（Ｂ）に示すように、複数の四辺形が一方向に連続した形状を有する。また、電極５９１は四辺形である。配線５９４は、電極５９２が延在する方向と交差する方向に並んだ二つの電極５９１を電気的に接続している。このとき、電極５９２と配線５９４の交差部の面積ができるだけ小さくなる形状が好ましい。これにより、電極が設けられていない領域の面積を低減でき、透過率のムラを低減できる。その結果、タッチセンサ５９５を透過する光の輝度ムラを低減することができる。
【０２３５】
なお、電極５９１、電極５９２の形状はこれに限られず、様々な形状を取りうる。例えば、複数の電極５９１をできるだけ隙間が生じないように配置し、絶縁層を介して電極５９２を、電極５９１と重ならない領域ができるように離間して複数設ける構成としてもよい。このとき、隣接する２つの電極５９２の間に、これらとは電気的に絶縁されたダミー電極を設けると、透過率の異なる領域の面積を低減できるため好ましい。
【０２３６】
タッチセンサ５９５の構成を、図１４を用いて説明する。
【０２３７】
タッチセンサ５９５は、基板５９０、基板５９０上に千鳥状に配置された電極５９１及び電極５９２、電極５９１及び電極５９２を覆う絶縁層５９３並びに隣り合う電極５９１を電気的に接続する配線５９４を備える。
【０２３８】
接着層５９７は、タッチセンサ５９５と表示部５０１が重なるように基板５９０と基板５７０を貼り合わせている。
【０２３９】
電極５９１及び電極５９２は、透光性を有する導電材料を用いて形成する。透光性を有する導電性材料としては、酸化インジウム、インジウム錫酸化物、インジウム亜鉛酸化物、酸化亜鉛、ガリウムを添加した酸化亜鉛などの導電性酸化物を用いることができる。
【０２４０】
透光性を有する導電性材料を基板５９０上にスパッタリング法により成膜した後、フォトリソグラフィ法等の公知のパターニング技術により、不要な部分を除去して、電極５９１及び電極５９２を形成することができる。
【０２４１】
また、絶縁層５９３は電極５９１及び電極５９２を覆う。絶縁層５９３に用いる材料としては、例えば、アクリル、エポキシなどの樹脂、シロキサン結合を有する樹脂の他、酸化シリコン、酸化窒化シリコン、酸化アルミニウムなどの無機絶縁材料を用いることもできる。
【０２４２】
また、電極５９１に達する開口が絶縁層５９３に設けられ、配線５９４が隣接する電極５９１を電気的に接続する。透光性の導電性材料を用いて形成された配線５９４は、タッチパネルの開口率を高まることができるため好ましい。また、電極５９１及び電極５９２より導電性の高い材料を配線５９４に用いることが好ましい。
【０２４３】
一の電極５９２は一方向に延在し、複数の電極５９２がストライプ状に設けられている。
【０２４４】
配線５９４は電極５９２と交差して設けられている。
【０２４５】
一対の電極５９１が一の電極５９２を挟んで設けられ、配線５９４に電気的に接続されている。
【０２４６】
なお、複数の電極５９１は、一の電極５９２と必ずしも直交する方向に配置される必要はなく、９０度未満の角度をなすように配置されてもよい。
【０２４７】
一の配線５９８は、電極５９１又は電極５９２と電気的に接続される。配線５９８の一部は、端子として機能する。配線５９８としては、例えば、アルミニウム、金、白金、銀、ニッケル、チタン、タングステン、クロム、モリブデン、鉄、コバルト、銅、又はパラジウム等の金属材料や、該金属材料を含む合金材料を用いることができる。
【０２４８】
なお、絶縁層５９３及び配線５９４を覆う絶縁層を設けて、タッチセンサ５９５を保護することができる。
【０２４９】
また、接続層５９９は、配線５９８とＦＰＣ５０９（２）を電気的に接続する。
【０２５０】
接続層５９９としては、公知の異方性導電フィルム（ＡＣＦ：Ａｎｉｓｏｔｒｏｐｉｃ  Ｃｏｎｄｕｃｔｉｖｅ  Ｆｉｌｍ）や、異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０２５１】
接着層５９７は、透光性を有する。例えば、熱硬化性樹脂や紫外線硬化樹脂を用いることができ、具体的には、アクリル、ウレタン、エポキシ、またはシロキサン結合を有する樹脂などの樹脂を用いることができる。
【０２５２】
＜表示部＞
表示部５０１は、マトリクス状に配置された複数の画素を備える。画素は表示素子と表示素子を駆動する画素回路を備える。
【０２５３】
本実施の形態では、白色の有機エレクトロルミネッセンス素子を表示素子に適用する場合について説明するが、表示素子はこれに限られない。
【０２５４】
例えば、表示素子として、有機エレクトロルミネッセンス素子の他、電気泳動方式や電子粉流体方式などにより表示を行う表示素子（電子インクともいう）、シャッター方式のＭＥＭＳ表示素子、光干渉方式のＭＥＭＳ表示素子など、様々な表示素子を用いることができる。なお、適用する表示素子に好適な構成を、公知の画素回路から選択して用いることができる。
【０２５５】
基板５１０は、可撓性を有する基板５１０ｂ、意図しない不純物の発光素子への拡散を防ぐバリア膜５１０ａおよび基板５１０ｂとバリア膜５１０ａを貼り合わせる接着層５１０ｃが積層された積層体である。
【０２５６】
基板５７０は、可撓性を有する基板５７０ｂ、意図しない不純物の発光素子への拡散を防ぐバリア膜５７０ａおよび基板５７０ｂとバリア膜５７０ａを貼り合わせる接着層５７０ｃの積層体である。
【０２５７】
封止材５６０は基板５７０と基板５１０を貼り合わせている。また、封止材５６０は空気より大きい屈折率を備え、光学接合層を兼ねる。画素回路および発光素子（例えば第１の発光素子５５０Ｒ）は基板５１０と基板５７０の間にある。
【０２５８】
《画素の構成》
画素は、副画素５０２Ｒを含み、副画素５０２Ｒは発光モジュール５８０Ｒを備える。
【０２５９】
副画素５０２Ｒは、第１の発光素子５５０Ｒおよび第１の発光素子５５０Ｒに電力を供給することができるトランジスタ５０２ｔを含む画素回路を備える。また、発光モジュール５８０Ｒは第１の発光素子５５０Ｒおよび光学素子（例えば第１の着色層５６７Ｒ）を備える。
【０２６０】
第１の発光素子５５０Ｒは、下部電極、上部電極、下部電極と上部電極の間に発光性の有機化合物を含む層を有する。
【０２６１】
発光モジュール５８０Ｒは、第１の着色層５６７Ｒを基板５７０に有する。着色層は特定の波長を有する光を透過するものであればよく、例えば赤色、緑色または青色等を呈する光を選択的に透過するものを用いることができる。または、発光素子の発する光をそのまま透過する領域を設けてもよい。
【０２６２】
発光モジュール５８０Ｒは、第１の発光素子５５０Ｒと第１の着色層５６７Ｒに接する封止材５６０を有する。
【０２６３】
第１の着色層５６７Ｒは第１の発光素子５５０Ｒと重なる位置にある。これにより、第１の発光素子５５０Ｒが発する光の一部は、光学接合層を兼ねる封止材５６０および第１の着色層５６７Ｒを透過して、図中の矢印に示すように発光モジュール５８０Ｒの外部に射出される。
【０２６４】
《表示部の構成》
表示部５０１は、遮光層５６７ＢＭを基板５７０に有する。遮光層５６７ＢＭは、着色層（例えば第１の着色層５６７Ｒ）を囲むように設けられている。
【０２６５】
表示部５０１は、反射防止層５６７ｐを画素に重なる位置に備える。反射防止層５６７ｐとして、例えば円偏光板を用いることができる。
【０２６６】
表示部５０１は、絶縁膜５２１を備える。絶縁膜５２１はトランジスタ５０２ｔを覆っている。なお、絶縁膜５２１は画素回路に起因する凹凸を平坦化するための層として用いることができる。また、不純物のトランジスタ５０２ｔ等への拡散を抑制することができる層が積層された絶縁膜を、絶縁膜５２１に適用することができる。
【０２６７】
表示部５０１は、発光素子（例えば第１の発光素子５５０Ｒ）を絶縁膜５２１上に有する。
【０２６８】
表示部５０１は、下部電極の端部に重なる隔壁５２８を絶縁膜５２１上に有する。また、基板５１０と基板５７０の間隔を制御するスペーサを、隔壁５２８上に有する。
【０２６９】
《画像信号線駆動回路の構成》
画像信号線駆動回路５０３ｓ（１）は、トランジスタ５０３ｔおよび容量５０３ｃを含む。なお、駆動回路は画素回路と同一の工程で同一基板上に形成することができる。
【０２７０】
《他の構成》
表示部５０１は、信号を供給することができる配線５１１を備え、端子５１９が配線５１１に設けられている。なお、画像信号および同期信号等の信号を供給することができるＦＰＣ５０９（１）が端子５１９に電気的に接続されている。
【０２７１】
なお、ＦＰＣ５０９（１）にはプリント配線基板（ＰＷＢ）が取り付けられていても良い。
【０２７２】
なお、本実施の形態は、本明細書で示す他の実施の形態と適宜組み合わせることができる。
【符号の説明】
【０２７３】
１００    情報処理装置
１００Ｂ    情報処理装置
１００Ｄ    情報処理装置
１００Ｇ    情報処理装置
１００Ｈ    情報処理装置
１１０    演算装置
１１０Ｇ    演算装置
１１１    演算部
１１１Ｇ    演算部
１１２    記憶部
１１２Ｇ    記憶部
１１４    伝送路
１１４Ｇ    伝送路
１１５    入出力インターフェース
１１５Ｇ    入出力インターフェース
１２０    入出力装置
１２０Ｇ    入出力装置
１２０Ｈ    入出力装置
１２１    入力手段
１２１Ｇ    入力手段
１２１Ｈ    入力手段
１２２    表示部
１２２Ｄ    表示部
１２２Ｇ    表示部
１２２Ｈ    表示部
１２３    検知部
１２３Ｇ    検知部
１２３Ｈ    検知部
１２４    測位部
１２４Ｇ    測位部
１２４Ｈ    測位部
１２４Ｗ    センサ
１２４Ｘ    センサ
１２４Ｙ    センサ
１２５    通信部
１２５Ｇ    通信部
１２５Ｈ    通信部
１２９    標識
１２９Ｗ    表示素子群
１２９Ｘ    発光素子群
１２９Ｙ（１）    発光素子
１２９Ｙ（２）    発光素子
１２９Ｙ    発光素子群
２００    情報処理システム
２００Ｂ    情報処理システム
２００Ｃ    情報処理システム
３００    入出力装置
３０１    表示部
３０２    画素
３０２Ｂ    副画素
３０２Ｇ    副画素
３０２Ｒ    副画素
３０２ｔ    トランジスタ
３０３ｃ    容量
３０３ｇ（１）    走査線駆動回路
３０３ｇ（２）    撮像画素駆動回路
３０３ｓ（１）    画像信号線駆動回路
３０３ｓ（２）    撮像信号線駆動回路
３０３ｔ    トランジスタ
３０８    撮像画素
３０８ｐ    光電変換素子
３０８ｔ    トランジスタ
３０９    ＦＰＣ
３１０    基板
３１０ａ    バリア膜
３１０ｂ    基板
３１０ｃ    接着層
３１１    配線
３１９    端子
３２１    絶縁膜
３２８    隔壁
３２９    スペーサ
３５０Ｒ    発光素子
３５１Ｒ    下部電極
３５２    上部電極
３５３    層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基板
３７０ｃ    接着層
３８０Ｂ    発光モジュール
３８０Ｇ    発光モジュール
３８０Ｒ    発光モジュール
５００    タッチパネル
５０１    表示部
５０２Ｒ    副画素
５０２ｔ    トランジスタ
５０３ｃ    容量
５０３ｓ    画像信号線駆動回路
５０３ｔ    トランジスタ
５０９    ＦＰＣ
５１０    基板
５１０ａ    バリア膜
５１０ｂ    基板
５１０ｃ    接着層
５１１    配線
５１９    端子
５２１    絶縁膜
５２８    隔壁
５５０Ｒ    発光素子
５６０    封止材
５６７ＢＭ    遮光層
５６７ｐ    反射防止層
５６７Ｒ    着色層
５７０    基板
５７０ａ    バリア膜
５７０ｂ    基板
５７０ｃ    接着層
５８０Ｒ    発光モジュール
５９０    基板
５９１    電極
５９２    電極
５９３    絶縁層
５９４    配線
５９５    タッチセンサ
５９７    接着層
５９８    配線
５９９    接続層
【図１】
2015035209.tif 000003
【図２】
2015035209.tif 000004
【図３】
2015035209.tif 000005
【図４】
2015035209.tif 000006
【図５】
2015035209.tif 000007
【図６】
2015035209.tif 000008
【図７】
2015035209.tif 000009
【図８】
2015035209.tif 000010
【図９】
2015035209.tif 000011
【図１０】
2015035209.tif 000012
【図１１】
2015035209.tif 000013
【図１２】
2015035209.tif 000014
【図１３】
2015035209.tif 000015
【図１４】
2015035209.tif 000016